(57)【要約】【課題】低剛性の格子状の制御電極に対して、制御電極の両面を清掃することが可能で、かつ、非清掃時における制御電極の形状変形を抑制する。【解決手段】制御電極１４の帯電電極１３側に位置する面を拭き取り清掃する第１の清掃部材１と、制御電極１４の被帯電体側に位置する面を拭き取り清掃する第２の清掃部材２と、第１の清掃部材１及び第２の清掃部材２を被帯電体の帯電領域に沿って移動させる移動体３と、第２の清掃部材２の清掃位置ＣＬと退避位置Ｒとの間で進退移動可能に保持される可動保持部材４と、第２の清掃部材２が清掃位置ＣＬに位置するように可動保持部材４を付勢する付勢部材５と、第１の清掃部材１及び第２の清掃部材２が初期位置ＣＬに位置するときに、退避位置Ｒに第２の清掃部材２を退避させ、かつ、制御電極１４と第１の清掃部材１とを非接触配置させる付勢解除部材６と、を備えたものである。【選択図】図１
2013186269.tif 000002
【特許請求の範囲】
【請求項１】
被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面して撓み変形可能に且つ前記帯電電極の延びる方向に沿って引張られた状態にて配設され、被帯電体の帯電電位を制御する格子状の制御電極と、を備えた帯電装置に設けられ、前記帯電電極及び前記制御電極のうち少なくとも前記制御電極を清掃する清掃装置であって、
前記帯電電極に交差する交差方向に沿って延び且つ制御電極の帯電電極側に位置する面を拭き取り清掃する第１の清掃部材と、
前記帯電電極の延びる方向に交差する交差方向に沿って延び且つ前記制御電極の被帯電体側に位置する面を拭き取り清掃する第２の清掃部材と、
前記帯電電極の延びる方向に沿って移動可能に設けられ、前記制御電極非清掃時には前記第１の清掃部材及び第２の清掃部材を被帯電体の帯電領域から外れた初期位置に停止し、前記制御電極清掃時には前記第１の清掃部材及び第２の清掃部材を被帯電体の帯電領域に沿って移動させる移動体と、
この移動体に設けられ、第２の清掃部材が前記制御電極に接触する清掃位置とこの清掃位置から退避して前記制御電極とは非接触な退避位置との間で進退移動可能に保持される可動保持部材と、
前記第２の清掃部材が前記清掃位置に位置するように前記可動保持部材を付勢し、前記清掃位置では前記第２の清掃部材が前記制御電極に接触して当該制御電極を被帯電体から離れる方向に変形させる共に、前記第１の清掃部材に変形した前記制御電極を接触させる付勢部材と、
前記帯電容器内で前記帯電電極の延びる方向の一端側に設けられ、前記第１の清掃部材及び第２の清掃部材が前記初期位置に位置するときに、前記可動保持部材に接触して前記付勢部材による付勢方向に抗した方向に前記可動保持部材を移動させることで前記退避位置に前記第２の清掃部材を退避させ、かつ、前記制御電極と前記第１の清掃部材とを非接触配置させる付勢解除部材と、
を備えたことを特徴とする清掃装置。
【請求項２】
請求項１記載の清掃装置において、
前記第１の清掃部材と前記第２の清掃部材とは前記帯電電極の延びる方向に対して互いに重ならない位置に変位配置されていることを特徴とする清掃装置。
【請求項３】
請求項１又は２記載の清掃装置において、
前記第２の清掃部材は、第１の清掃部材に比べてばね定数が大きいものであることを特徴とする清掃装置。
【請求項４】
請求項１ないし３いずれかに記載の清掃装置において、
前記可動保持部材は、前記移動体に対し揺動支点を中心として揺動可能に且つ前記揺動支点から離れる方向に延びる揺動腕を有し、この揺動腕の揺動支点から離れた側に第２の清掃部材を保持するものであることを特徴する清掃装置。
【請求項５】
請求項１ないし４いずれかに記載の清掃装置において、
前記第２の清掃部材は前記可動保持部材の一部に一体的に形成されていることを特徴とする清掃装置。
【請求項６】
請求項１ないし４いずれかに記載の清掃装置において、
前記可動保持部材は、第２の清掃部材を保持する保持部と、この保持部に隣接した部位に設けられ且つ前記第２の清掃部材が清掃位置に位置するときに前記第２の清掃部材と共に前記制御電極に接触する接触部と、を有することを特徴とする清掃装置。
【請求項７】
請求項１ないし６いずれかに記載の清掃装置において、
前記第２の清掃部材は前記帯電電極の延びる方向に湾曲する湾曲部を有していることを特徴とする清掃装置。
【請求項８】
被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面して撓み変形可能に且つ前記帯電電極の延びる方向に沿って引張られた状態にて配設され、被帯電体の帯電電位を制御する格子状の制御電極と、を備えた帯電装置に設けられ、前記帯電電極及び前記制御電極を清掃する清掃装置であって、
前記帯電電極を清掃する帯電電極清掃機構と、
前記制御電極を清掃する制御電極清掃機構と、を備え、
前記制御電極清掃機構として請求項１ないし７いずれかに記載の清掃装置を用いたことを特徴とする清掃装置。
【請求項９】
請求項８記載の清掃装置において、
前記帯電電極清掃機構は、
前記帯電電極の延びる方向に交差する方向に対して当該帯電電極を挟むように配置される複数の清掃部材と、
これらの複数の清掃部材のうち少なくともいずれか一つを移動可能とし、前記帯電電極に対して複数の清掃部材を接離する接離機構と、
この接離機構により前記複数の清掃部材が帯電電極に接触する状態で複数の清掃部材を帯電電極の延びる方向に沿って移動させる移動体と、
を備え、
帯電電極清掃機構の移動体は制御電極清掃機構の移動体と同一部材であることを特徴とする清掃装置。
【請求項１０】
請求項９記載の清掃装置において、
前記帯電電極清掃機構の清掃部材は、前記帯電電極の延びる方向に対して予め決められた間隔をもって配置される一対の両側清掃部材と、
前記帯電電極を介して前記一対の両側清掃部材の反対側に位置し且つ前記両側清掃部材の中間位置に配置される中間清掃部材と、を有し、
前記接離機構は、前記中間清掃部材を移動可能とし、前記帯電電極に対して前記両側清掃部材及び中間清掃部材を接離するものであることを特徴とする清掃装置。
【請求項１１】
請求項８ないし１０いずれかに記載の清掃装置において、
前記帯電電極清掃機構の接離機構は前記複数の清掃部材の少なくともいずれか一つを移動可能に保持する可動保持部材を有し、当該可動保持部材が前記制御電極清掃機構の可動保持部材と同一部材であることを特徴とする清掃装置。
【請求項１２】
被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面した位置に前記帯電電極の延びる方向に沿って引張状態で配設され、被帯電体の帯電電位を制御する格子状の制御電極と、前記帯電電極及び制御電極のうち少なくとも前記制御電極を清掃する請求項１ないし１１いずれかに記載の清掃装置と、を備えことを特徴とする帯電装置。
【請求項１３】
請求項１２記載の帯電装置において、
前記制御電極は、前記帯電電極に交差する交差方向に並んで配列され且つ前記帯電電極の延びる方向に沿って直線状に延びる３本以上の構造線と、この３本以上の構造線のうち少なくとも隣り合う構造線間を連結し且つこの連結部位が構造線の延びる方向に対し複数設けられている連結線と、を有することを特徴とする帯電装置。
【請求項１４】
作像材料にて潜像を可視像化した像が保持される被帯電体としての像保持体と、この像保持体を帯電する帯電装置と、を含み、画像形成装置本体に対して着脱可能に設けられる画像形成組立体であって、
前記帯電装置は、
被帯電体に対向して開口する帯電容器と、
この帯電容器内に配設され且つ前記被帯電体の予め決められた帯電領域に沿って延びる線状の帯電電極と、
前記帯電電極と被帯電体との間で前記帯電容器の開口に面した位置に前記帯電電極の延びる方向に沿って引張状態で配設され、被帯電体の帯電電位を制御する格子状の制御電極と、
前記帯電電極及び前記制御電極のうち少なくとも前記制御電極を清掃する請求項１ないし１１いずれかに記載の清掃装置と、を備えていることを特徴とする画像形成組立体。
【請求項１５】
作像材料にて潜像を可視像化した像が保持される被帯電体としての像保持体と、この像保持体を帯電する帯電装置と、を備えた画像形成装置であって、
前記帯電装置は、
被帯電体に対向して開口する帯電容器と、
この帯電容器内に配設され且つ前記被帯電体の予め決められた帯電領域に沿って延びる線状の帯電電極と、
前記帯電電極と被帯電体との間で前記帯電容器の開口に面した位置に前記帯電電極の延びる方向に沿って引張状態で配設され、被帯電体の帯電電位を制御する格子状の制御電極と、
前記帯電電極及び前記制御電極のうち少なくとも前記制御電極を清掃する請求項１ないし１０いずれかに記載の清掃装置と、を備えたことを特徴とする画像形成装置。
【請求項１６】
請求項１５記載の画像形成装置のうち、像保持体が湾曲状である態様において、
前記帯電装置の制御電極は前記像保持体に略対応した形状の湾曲部又は多角形部を有するものであることを特徴とする画像形成装置。
【請求項１７】
請求項１６記載の画像形成装置において、
前記第１の清掃部材、第２の清掃部材及び前記可動保持部材のうち少なくとも前記制御電極に接触する部位は、前記制御電極の湾曲部又は多角形部に略対応した形状を有することを特徴とする特徴とする画像形成装置。
【発明の詳細な説明】
【技術分野】
【０００１】
本発明は、清掃装置及びこれを用いた帯電装置、画像形成組立体並びに画像形成装置に関する。
【背景技術】
【０００２】
従来における帯電装置の清掃装置としては特許文献１ないし８記載のものが既に提供されている。
特許文献１には、清掃部材は、ガイド部によってグリッド電極の張設方向と交差する方向にグリッド電極を跨ぐとともにグリッド電極の外側の面と摺動するように張架されており、また、ガイド部を保持する保持部材が、帯電装置の長手方向に移動可能であり、ガイド部の移動に伴って清掃部材とグリッド電極との接触箇所が移動する態様が開示されている。
特許文献２には、グリッド清掃時にグリッドの張力を緩めるグリッド張設レバーを設け、グリッド清掃時には、該レバーにより張力緩和されたグリッドを清掃部材にて非清掃時のグリッド位置より被放電体から遠ざかる方向に押しつつ該清掃部材をグリッドに圧接させて走行させる態様が開示されている。
特許文献３には、グリッドへの圧接時に、グリッド張架方向と直行する方向において、グリッドにかかる圧接力が異なるようにグリッド清掃部材を保持部材に取り付け、グリッド張架方向と直行する方向において、グリッドにかかる圧接力を調整し、グリッドの変形が生じないようにグリッド清掃部材をグリッドに当てるようにした態様が開示されている。
特許文献４には、清掃装置としては、制御電極の長手方向を横切る方向に制御電極に巻き掛けられ、制御電極の長手方向に動かされることで制御電極の両面を摺擦清掃する巻き掛け清掃部材と、清掃部材を移動させる清掃部材駆動部とを含んでいる帯電装置が開示されている。
特許文献５には、コロナ放電器として、被放電体に面して設けられた複数のグリッドと、該グリッドを介して被放電体を放電するコロナ放電電極と、上記グリッドを移動可能に支持するグリッド支持体と、上記コロナ放電電極を支持するコロナ放電電極支持体と、上記グリッドをクリーニングするためにグリッド支持体進行方向前方に設けられたグリッド清掃部材と、上記コロナ放電電極をクリーニングするためにグリッド支持体進行方向後方に設けられたコロナ放電電極清掃部材とを有し、上記グリッド支持体を長手方向に沿って移動させることによりグリッドとコロナ放電電極とを同時にクリーニングする態様が開示されている。
特許文献６には、スコロトロン帯電器にグリッド清掃部材を備え、グリッド清掃に際してスコロトロン帯電器を感光体から遠ざける方向に移動せしめて、感光体と対向しない側および感光体に対向する側の両グリッド面を清掃する手段を具備した態様が開示されている。
特許文献７には、コロナ放電ワイヤ等の線材の清掃装置として、線材に接触して線材を清掃する第１の清掃部材と、線材を挟んで第１の清掃部材に接触して当該線材を拭き取る第２の清掃部材と、両清掃部材を保持するとともに線材の張り渡し方向に沿って往復移動させる保持移動体とを有し、第２の清掃部材が、第１の清掃部材の少なくとも復路移動時の後端部からはみ出して線材に接触した状態で配置されている態様が開示されている。
特許文献８には、電位制御性及び生産性を良好に保つために、スコロトロン帯電装置のグリッド電極として、平板状部材に複数の開口部を有する構成を有し、複数の開口部の長手方向にのみ直線状のパターン線を有し、パターン線の短手方向の間隔が一定であり、パターン線の短手方向の線幅とパターン線間隔とを用いて表されるグリッド電極の開口率を予め決められた数値範囲に設定する態様が開示されている。
【先行技術文献】
【特許文献】
【０００３】
【特許文献１】特開２００７−３３４２２６号公報（発明を実施するための最良の形態，図１）
【特許文献２】特開平８−６２９５０号公報（実施例，図２）
【特許文献３】特開２００６−９１４８４号公報（発明を実施するための最良の形態，図７）
【特許文献４】特開２００７−２１２５１２号公報（発明を実施するための最良の形態，図２）
【特許文献５】特公昭６１−２４７１２号公報（発明の詳細な説明，図４）
【特許文献６】特開平４−４２２４８号公報（実施例，図１）
【特許文献７】特開２０１０−１０２２７３号公報（発明を実施するための最良の形態，図１０）
【特許文献８】特開２００８−２６２１１１号公報（発明を実施するための最良の形態，図５）
【発明の概要】
【発明が解決しようとする課題】
【０００４】
本発明が解決しようとする技術的課題は、低剛性の格子状の制御電極に対して、制御電極の両面を清掃することが可能で、かつ、非清掃時における制御電極の形状変形を抑制することが可能な清掃装置およびこれを用いた帯電装置、画像形成組立体並びに画像形成装置を提供することにある。
【課題を解決するための手段】
【０００５】
請求項１に係る発明は、被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面して撓み変形可能に且つ前記帯電電極の延びる方向に沿って引張られた状態にて配設され、被帯電体の帯電電位を制御する格子状の制御電極と、を備えた帯電装置に設けられ、前記帯電電極及び前記制御電極のうち少なくとも前記制御電極を清掃する清掃装置であって、前記帯電電極に交差する交差方向に沿って延び且つ制御電極の帯電電極側に位置する面を拭き取り清掃する第１の清掃部材と、前記帯電電極の延びる方向に交差する交差方向に沿って延び且つ前記制御電極の被帯電体側に位置する面を拭き取り清掃する第２の清掃部材と、前記帯電電極の延びる方向に沿って移動可能に設けられ、前記制御電極非清掃時には前記第１の清掃部材及び第２の清掃部材を被帯電体の帯電領域から外れた初期位置に停止し、前記制御電極清掃時には前記第１の清掃部材及び第２の清掃部材を被帯電体の帯電領域に沿って移動させる移動体と、この移動体に設けられ、第２の清掃部材が前記制御電極に接触する清掃位置とこの清掃位置から退避して前記制御電極とは非接触な退避位置との間で進退移動可能に保持される可動保持部材と、前記第２の清掃部材が前記清掃位置に位置するように前記可動保持部材を付勢し、前記清掃位置では前記第２の清掃部材が前記制御電極に接触して当該制御電極を被帯電体から離れる方向に変形させる共に、前記第１の清掃部材に変形した前記制御電極を接触させる付勢部材と、前記帯電容器内で前記帯電電極の延びる方向の一端側に設けられ、前記第１の清掃部材及び第２の清掃部材が前記初期位置に位置するときに、前記可動保持部材に接触して前記付勢部材による付勢方向に抗した方向に前記可動保持部材を移動させることで前記退避位置に前記第２の清掃部材を退避させ、かつ、前記制御電極と前記第１の清掃部材とを非接触配置させる付勢解除部材と、を備えたことを特徴とする清掃装置である。
【０００６】
請求項２に係る発明は、請求項１に係る清掃装置において、前記第１の清掃部材と前記第２の清掃部材とは前記帯電電極の延びる方向に対して互いに重ならない位置に変位配置されていることを特徴とする清掃装置である。
請求項３に係る発明は、請求項１又は２に係る清掃装置において、前記第２の清掃部材は、第１の清掃部材に比べてばね定数が大きいものであることを特徴とする清掃装置である。
請求項４に係る発明は、請求項１ないし３いずれかに係る清掃装置において、前記可動保持部材は、前記移動体に対し揺動支点を中心として揺動可能に且つ前記揺動支点から離れる方向に延びる揺動腕を有し、この揺動腕の揺動支点から離れた側に第２の清掃部材を保持するものであることを特徴する清掃装置である。
請求項５に係る発明は、請求項１ないし４いずれかに係る清掃装置において、前記第２の清掃部材は前記可動保持部材の一部に一体的に形成されていることを特徴とする清掃装置である。
請求項６に係る発明は、請求項１ないし４いずれかに係る清掃装置において、前記可動保持部材は、第２の清掃部材を保持する保持部と、この保持部に隣接した部位に設けられ且つ前記第２の清掃部材が清掃位置に位置するときに前記第２の清掃部材と共に前記制御電極に接触する接触部と、を有することを特徴とする清掃装置である。
請求項７に係る発明は、請求項１ないし６いずれかに係る清掃装置において、前記第２の清掃部材は前記帯電電極の延びる方向に湾曲する湾曲部を有していることを特徴とする清掃装置である。
請求項８に係る発明は、被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面して撓み変形可能に且つ前記帯電電極の延びる方向に沿って引張られた状態にて配設され、被帯電体の帯電電位を制御する格子状の制御電極と、を備えた帯電装置に設けられ、前記帯電電極及び前記制御電極を清掃する清掃装置であって、前記帯電電極を清掃する帯電電極清掃機構と、前記制御電極を清掃する制御電極清掃機構と、を備え、前記制御電極清掃機構として請求項１ないし７いずれかに係る清掃装置を用いたことを特徴とする清掃装置である。
請求項９に係る発明は、請求項８に係る清掃装置において、前記帯電電極清掃機構は、前記帯電電極の延びる方向に交差する方向に対して当該帯電電極を挟むように配置される複数の清掃部材と、これらの複数の清掃部材のうち少なくともいずれか一つを移動可能とし、前記帯電電極に対して複数の清掃部材を接離する接離機構と、この接離機構により前記複数の清掃部材が帯電電極に接触する状態で複数の清掃部材を帯電電極の延びる方向に沿って移動させる移動体と、を備え、帯電電極清掃機構の移動体は制御電極清掃機構の移動体と同一部材であることを特徴とする清掃装置である。
請求項１０に係る発明は、請求項９に係る清掃装置において、前記帯電電極清掃機構の清掃部材は、前記帯電電極の延びる方向に対して予め決められた間隔をもって配置される一対の両側清掃部材と、前記帯電電極を介して前記一対の両側清掃部材の反対側に位置し且つ前記両側清掃部材の中間位置に配置される中間清掃部材と、を有し、前記接離機構は、前記中間清掃部材を移動可能とし、前記帯電電極に対して前記両側清掃部材及び中間清掃部材を接離するものであることを特徴とする清掃装置である。
請求項１１に係る発明は、請求項８ないし１０いずれかに係る清掃装置において、前記帯電電極清掃機構の接離機構は前記複数の清掃部材の少なくともいずれか一つを移動可能に保持する可動保持部材を有し、当該可動保持部材が前記制御電極清掃機構の可動保持部材と同一部材であることを特徴とする清掃装置である。
【０００７】
請求項１２に係る発明は、被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面した位置に前記帯電電極の延びる方向に沿って引張状態で配設され、被帯電体の帯電電位を制御する格子状の制御電極と、前記帯電電極及び制御電極のうち少なくとも前記制御電極を清掃する請求項１ないし１１いずれかに係る清掃装置と、を備えことを特徴とする帯電装置である。
請求項１３に係る発明は、請求項１２に係る帯電装置において、前記制御電極は、前記帯電電極に交差する交差方向に並んで配列され且つ前記帯電電極の延びる方向に沿って直線状に延びる３本以上の構造線と、この３本以上の構造線のうち少なくとも隣り合う構造線間を連結し且つこの連結部位が構造線の延びる方向に対し複数設けられている連結線と、を有することを特徴とする帯電装置である。
請求項１４に係る発明は、作像材料にて潜像を可視像化した像が保持される被帯電体としての像保持体と、この像保持体を帯電する帯電装置と、を含み、画像形成装置本体に対して着脱可能に設けられる画像形成組立体であって、前記帯電装置は、被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面した位置に前記帯電電極の延びる方向に沿って引張状態で配設され、被帯電体の帯電電位を制御する格子状の制御電極と、前記帯電電極及び前記制御電極のうち少なくとも前記制御電極を清掃する請求項１ないし１１いずれかに係る清掃装置と、を備えていることを特徴とする画像形成組立体である。
請求項１５に係る発明は、作像材料にて潜像を可視像化した像が保持される被帯電体としての像保持体と、この像保持体を帯電する帯電装置と、を備えた画像形成装置であって、前記帯電装置は、被帯電体に対向して開口する帯電容器と、この帯電容器内に配設され且つ前記被帯電体の予め決められた帯電領域に沿って延びる線状の帯電電極と、前記帯電電極と被帯電体との間で前記帯電容器の開口に面した位置に前記帯電電極の延びる方向に沿って引張状態で配設され、被帯電体の帯電電位を制御する格子状の制御電極と、前記帯電電極及び前記制御電極のうち少なくとも前記制御電極を清掃する請求項１ないし１０いずれかに係る清掃装置と、を備えたことを特徴とする画像形成装置である。
請求項１６に係る発明は、請求項１５に係る画像形成装置のうち、像保持体が湾曲状である態様において、前記帯電装置の制御電極は前記像保持体に略対応した形状の湾曲部又は多角形部を有するものであることを特徴とする画像形成装置である。
請求項１７に係る発明は、請求項１６に係る画像形成装置において、前記第１の清掃部材、第２の清掃部材及び前記可動保持部材のうち少なくとも前記制御電極に接触する部位は、前記制御電極の湾曲部又は多角形部に略対応した形状を有することを特徴とする特徴とする画像形成装置である。
【発明の効果】
【０００８】
請求項１に係る発明によれば、低剛性の格子状の制御電極に対して、制御電極の両面を清掃することが可能で、かつ、非清掃時における制御電極の形状変形を抑制することができる。
請求項２に係る発明によれば、本構成を有さない態様に比べて、第２の清掃部材の可動範囲の制約が少なくなり、被帯電体と清掃装置の構成部材とを十分に離した状態で清掃装置を安全に走行させることができる。
請求項３に係る発明によれば、本構成を有さない態様に比べて、格子状の制御電極に対する清掃性能を良好に保つことができる。
請求項４に係る発明によれば、簡単な構成で、清掃位置と退避位置とに第２の清掃部材を容易に進退移動させることができる。
請求項５に係る発明によれば、第２の清掃部材の部品点数を省略することができると共に、制御電極の清掃位置を正確に規制することができる。
請求項６に係る発明によれば、制御電極の清掃位置を正確に規制し、第２の清掃部材と制御電極との接触による第２の清掃部材の変形量を調整することができる。
請求項７に係る発明によれば、本構成を有さない態様に比べて、制御電極と第２の清掃部材との接触状態を一様にすることができる。
請求項８に係る発明によれば、帯電電極及び制御電極を清掃することができ、特に、制御電極の清掃に当たっては、剛性の格子状の制御電極に対して、制御電極の両面を清掃することが可能で、かつ、非清掃時における制御電極の形状変形を抑制することができる。
請求項９に係る発明によれば、簡単な構成で、帯電電極及び制御電極を清掃することができる。
請求項１０に係る発明によれば、清掃部材の移動方向によらず、帯電電極に対する移動姿勢を安定させることができる。
請求項１１に係る発明によれば、兼用した可動保持部材を進退移動させることで、帯電電極及び制御電極と夫々の清掃部材とを簡単に接離させることができる。
請求項１２に係る発明によれば、低剛性の格子状の制御電極に対して、制御電極の両面を清掃することが可能で、かつ、非清掃時における制御電極の形状変形を抑制することが可能な清掃装置を含む帯電装置を容易に構築することができる。
請求項１３に係る発明によれば、連結線のない態様に比べて、被帯電体に対して制御電極を近接配置し易く、かつ、被帯電体の帯電領域における帯電ムラを抑制することができる。
請求項１４に係る発明によれば、低剛性の格子状の制御電極に対して、制御電極の両面を清掃することが可能で、かつ、非清掃時における制御電極の形状変形を抑制することが可能な清掃装置を含む帯電装置が組み込まれた画像形成組立体を容易に構築することができる。
請求項１５に係る発明によれば、低剛性の格子状の制御電極に対して、制御電極の両面を清掃することが可能で、かつ、非清掃時における制御電極の形状変形を抑制することが可能な清掃装置を含む帯電装置が組み込まれた画像形成装置を容易に構築することができる。
請求項１６に係る発明によれば、湾曲状の像保持体を備えた画像形成装置に対し、像保持体の湾曲状表面への帯電能力を略等しく設定することができる。
請求項１７に係る発明によれば、湾曲状の像保持体を備えた画像形成装置に対し、像保持体の湾曲状表面への帯電能力を略等しく設定することができることに加え、制御電極の変形量を必要最小限に抑制することができる。
【図面の簡単な説明】
【０００９】
【図１】（ａ）は本発明を適用した実施の形態に係る画像形成装置の概要を模式的に示す説明図、（ｂ）は（ａ）の画像形成装置で用いられる帯電装置及びその清掃装置の概要を示す説明図である。
【図２】本発明が適用された画像形成装置の実施の形態１を示す説明図である。
【図３】実施の形態１で用いられるプロセスカートリッジの全体構成を示す説明図である。
【図４】実施の形態１で用いられる帯電装置を示す説明図である。
【図５】（ａ）は帯電装置で用いられるグリッドの全体構成を示す説明図、（ｂ）はその要部を示す説明図である。
【図６】（ａ）（ｂ）は本実施の形態で用いられるグリッドの両端の取付構造を示す説明図である。
【図７】で実施の形態１で用いられる清掃装置の全体構成を示す斜視説明図である。
【図８】図７中ＶＩＩＩ−ＶＩＩＩ線に相当する断面方向から見た説明図である。
【図９】図８中ＩＸ−ＩＸ線に相当する断面方向から見た模式図である。
【図１０】（ａ）は実施の形態１で用いられる放電ワイヤ清掃機構の概要を示す断面説明図、（ｂ）は実施の形態１で用いられる放電ワイヤ清掃機構の清掃パッドの構成例を示す説明図である。
【図１１】グリッド清掃機構の清掃時における状態を示す斜視説明図である。
【図１２】グリッド清掃機構の非清掃時における状態を示す斜視説明図である。
【図１３】実施の形態１で用いられる清掃装置の制御系の一例を示す説明図である。
【図１４】実施の形態１で用いられる清掃装置の非清掃時における状態を模式的に示す説明図である。
【図１５】実施の形態１で用いられる清掃装置の清掃時における状態を模式的に示す説明図である。
【図１６】（ａ）は放電ワイヤ清掃機構の非清掃時における状態を模式的に示す説明図、（ｂ）は同清掃機構の清掃時における状態を模式的に示す説明図である。
【図１７】実施の形態１に対する比較の形態１−１に係る清掃装置の一例を示す説明図である。
【図１８】実施の形態１に対する比較の形態１−２に係る清掃装置の要部を示す説明図である。
【図１９】実施の形態２に係る帯電装置で用いられる清掃装置の要部を示す説明図である。
【図２０】実施の形態３に係る帯電装置で用いられる清掃装置の要部を示す同様な説明図である。
【図２１】実施の形態４に係る帯電装置で用いられる清掃装置の要部を示す同様な説明図である。
【図２２】実施例１〜３及び比較例１〜３に係る帯電装置のグリッド清掃機構の構成例を示す説明図である。
【図２３】比較例１，３及び実施例３における汚れの残存率を示す説明図である。
【図２４】実施例３における清掃前、清掃後の放電電流の均一性の変化を示す説明図である。
【図２５】比較例１における清掃前、清掃後の放電電流の均一性の変化を示す説明図である。
【図２６】比較例３における清掃前、清掃後の放電電流の均一性の変化を示す説明図である。
【発明を実施するための形態】
【００１０】
◎実施の形態の概要
図１（ａ）は本発明を具現化する実施の形態に係る画像形成装置の概要を示す。
同図において、画像形成装置は、作像材料にて潜像を可視像化した像が保持される被帯電体としての像保持体１５と、この像保持体１５を帯電する帯電装置１０と、を備えている。
この種の画像形成装置にあっては、像保持体１５及び帯電装置１０は画像形成装置本体に対して個々的に組み付けられても差し支えないが、組付性を簡略化するという観点からすれば、像保持体１５及び帯電装置１０を含む画像形成組立体として、画像形成装置本体に対して着脱可能に装着される態様が好ましい。
ここで、像保持体１５は感光体、誘電体を問わず、また、その形態もドラム状、ベルト状を問わないし、画像形成装置による作像画像（単色画像、複数色画像）に応じて単一、複数のいずれでもよい。
また、本例では、帯電装置１０は、像保持体１５に対向して開口する帯電容器１２と、この帯電容器１２内に配設され且つ像保持体１５の予め決められた帯電領域に沿って延びる線状の帯電電極１３と、帯電電極１３と像保持体１５との間で帯電容器１２の開口に面した位置に帯電電極１３の延びる方向に沿って引張状態で配設され、像保持体１５の帯電電位を制御する格子状の制御電極１４と、帯電電極１３及び制御電極１４を清掃する清掃装置１１と、を備えている。
ここでいう帯電装置１０は像保持体１５を帯電するものであればよく、帯電した結果、像保持体１５に作像材料を転写させる転写装置なども含む。
この種の帯電装置１０において、帯電電極１３は少なくとも放電可能な線状電極を一本有していればよいが、帯電性能を増加させる観点から前記線状電極を複数本有するものでもよい。また、制御電極１４は帯電電極１３から放電された電子が通過可能な格子状電極を有していればよく、格子状電極に印加される制御電圧によって電子の通過量を制御するようにすればよい。ここでいう「格子状」とは少なくとも一方向に複数延びる構造線を有していればよいが、全体的な強度を保つという観点からすれば、構造線に交差する方向に延びて構造線間を連結する連結線を有している態様が好ましい。また、制御電極１４の面剛性については帯電電極の延びる方向に引っ張られて撓み変形するものであれば、低剛性のものに限らず高剛性のものであってもよい。
尚、本例では、帯電装置１０は、被帯電体として像保持体１５を帯電する態様が例示されているが、像保持体１５に限られず、広く被帯電体を帯電するものであればよいことは勿論である。
【００１１】
本実施の形態では、清掃装置１１は、図１（ｂ）に示すように、帯電電極１３を清掃する帯電電極清掃機構１１ａと、制御電極１４を清掃する制御電極清掃機構１１ｂと、を備えている。
ここで、制御電極清掃機構１１ｂとしては、帯電電極１３に交差する交差方向に沿って延び且つ制御電極１４の帯電電極１３側に位置する面を拭き取り清掃する第１の清掃部材１と、帯電電極１３の延びる方向に交差する交差方向に沿って延び且つ制御電極１４の被帯電体（像保持体１５）側に位置する面を拭き取り清掃する第２の清掃部材２と、帯電電極１３の延びる方向に沿って移動可能に設けられ、制御電極１４非清掃時には第１の清掃部材１及び第２の清掃部材２を被帯電体（像保持体１５）の帯電領域から外れた初期位置に停止し、制御電極１４清掃時には第１の清掃部材１及び第２の清掃部材２を被帯電体（像保持体１５）の帯電領域に沿って移動させる移動体３と、この移動体３に設けられ、第２の清掃部材２が制御電極１４に接触する清掃位置ＣＬとこの清掃位置ＣＬから退避して制御電極１４とは非接触な退避位置Ｒとの間で進退移動可能に保持される可動保持部材４と、第２の清掃部材２が清掃位置ＣＬに位置するように可動保持部材４を付勢し、清掃位置ＣＬでは前記第２の清掃部材２が制御電極１４に接触して当該制御電極１４を被帯電体（像保持体１５）から離れる方向に変形させる共に、第１の清掃部材１に変形した制御電極１４を接触させる付勢部材５と、帯電容器１２内で帯電電極１３の延びる方向の一端側に設けられ、第１の清掃部材１及び第２の清掃部材２が初期位置Ｐ０に位置するときに、可動保持部材４に接触して付勢部材５による付勢方向に抗した方向に可動保持部材４を移動させることで退避位置Ｒに第２の清掃部材２を退避させ、かつ、制御電極１４と第１の清掃部材１とを非接触配置させる付勢解除部材６と、を備えたものである。
【００１２】
このような技術的手段において、第１の清掃部材１は制御電極１４の帯電電極１３側を清掃する部材であり、基本的に移動体３に固定的に設けられる。
第２の清掃部材２は制御電極１４の被帯電体（像保持体１５）側を清掃する部材であり、清掃位置ＣＬと退避位置Ｒとの間で進退移動可能とすることを前提とする。
ここで、第１の清掃部材１を固定配置し、第２の清掃部材２を可動配置した理由は、被帯電体（像保持体１５）から離れた位置に清掃位置ＣＬを選定し、移動体３が移動するときに被帯電体（像保持体１５）側に位置する第２の清掃部材２と被帯電体（像保持体１５）とが干渉することを回避することを企図したものである。
また、移動体３は被清掃時に帯電領域から外れた初期位置に停止し、清掃時に帯電領域を移動する。ここでいう初期位置とは帯電領域から外れていればよいが、第２の清掃部材２、これを保持する可動保持部材４と被帯電体（像保持体１５）との干渉を防止する上で、被帯電体（像保持体１５）の両側から外れた位置に初期位置Ｐ０を設定することが好ましい。
更に、可動保持部材４は第２の清掃部材２を清掃位置ＣＬと退避位置Ｒとの間で進退移動可能に保持する部材で、かつ、付勢部材５によって清掃位置ＣＬ側に付勢されていればよい。
そして、付勢解除部材６は第１の清掃部材１、第２の清掃部材２が初期位置Ｐ０に位置するとき、可動保持部材４に係わり合って付勢部材５の付勢方向に抗して可動保持部材４を移動させ、第２の清掃部材２を退避位置Ｒに退避させるものであればよい。
【００１３】
また、帯電電極清掃機構１１ａは、帯電電極１３の延びる方向に交差する方向に対して当該帯電電極１３を挟むように配置される複数の清掃部材７，８と、これらの複数の清掃部材７，８のうち少なくともいずれか一つを移動可能とし、帯電電極１３に対して複数の清掃部材７，８を接離する接離機構９と、この接離機構９により複数の清掃部材７，８が帯電電極１３に接触する状態で複数の清掃部材７，８を帯電電極１３の延びる方向に沿って移動させる移動体３と、を備えている。
このような技術的手段において、清掃部材７，８としては、帯電電極１３を挟むように配置されるものであればよく、帯電電極１３の延びる方向に対して少なくとも一部が重なるように対向配置される態様に限らず、互いに重ならないように配置される態様をも含む。
また、接離機構９としては、少なくともいずれか一つを移動可能にすればよいが、帯電電極１３に対し全ての清掃部材７，８を接触又は非接触にすることを要する。
更に、移動体３としては、接離機構９により帯電電極１３に接触した清掃部材７，８を帯電電極１３の延びる方向に沿って移動させるものであればよく、移動量や移動方向については適宜選定可能である。帯電電極１３に対して清掃部材７，８を接触した状態で往復移動させてもよいし、あるいは、一方向についてだけ帯電電極１３に対して清掃部材７，８を接触移動させ、反対方向については帯電電極１３から清掃部材７，８を離間させて戻すようにしてもよい。ここで、帯電電極清掃機構１１ａの移動体３は制御電極清掃機構１１ｂの移動体３と別に設けても差し支えないが、清掃装置１１の構成を簡略化するという観点からすれば、帯電電極清掃機構１１ａの移動体が制御電極清掃機構１１ｂの移動体３と同一部材からなるものが好ましい。
【００１４】
次に、本実施の形態に係る画像形成装置の帯電装置及びその清掃装置の代表的態様又は好ましい態様について説明する。
先ず、制御電極１４の代表的態様としては、帯電電極１３に交差する交差方向に並んで配列され且つ帯電電極１３の延びる方向に沿って直線状に延びる３本以上の構造線と、この３本以上の構造線のうち少なくとも隣り合う構造線間を連結し且つこの連結部位が構造線の延びる方向に対し複数設けられている連結線と、を有する態様が挙げられる。
本態様では、構造線は制御電極１４を帯電電極１３の延びる方向に引っ張る線材であり、少なくとも３本以上有していることが必要である。また、連結線は構造線に交差する方向で構造線間を連結する線材であり、制御電極１４に対してねじり方向の変形を抑えて面剛性を高めるようにしたものである。
また、像保持体１５が湾曲状である態様にあっては、帯電装置１０の制御電極１４は像保持体１５に略対応した形状の湾曲部又は多角形部を有するものであることが好ましい。本態様では、湾曲状又は多角形状の制御電極１４と像保持体１５の湾曲状表面とは略等間隔で配置されることから、像保持体１５の湾曲状表面への帯電能力が略等しく設定される。
【００１５】
また、帯電電極清掃機構１１ａにおける第１の清掃部材１及び第２の清掃部材２の好ましいレイアウトとしては、第１の清掃部材１と第２の清掃部材２とは帯電電極１３の延びる方向に対して互いに重ならない位置に変位配置されている態様が挙げられる。
本態様は、制御電極１４の撓み方向において第１の清掃部材１の制御電極１４との接触位置よりも第２の清掃部材２による清掃位置ＣＬを被帯電体（像保持体１５）から離して設定することが可能である。
第１の清掃部材１と第２の清掃部材２とが帯電電極１３の延びる方向に対して少なくとも一部が重なっている態様では、第２の清掃部材２の可動範囲が第１の清掃部材１の存在により制約されてしまう。このため、第２の清掃部材２の可動範囲を大きく確保するという観点からすれば、少なくとも一部が重なる態様では、第１の清掃部材１を被帯電体（像保持体１５）からできる限り離れた位置に配置するように設計することが必要である。
【００１６】
また、第１の清掃部材１と第２の清掃部材２との好ましい材料硬度特性としては、第２の清掃部材２は第１の清掃部材１に比べてばね定数が大きいものである態様が挙げられる。
本態様において、第１の清掃部材１を柔らかい材料で構成するようにすれば、制御電極１４の格子の目の中に第１の清掃部材１を入れ込むことができ、拭き取り性を確保することが可能である。
また、第２の清掃部材を硬い材料で構成するようにすれば、制御電極１４を撓み変形させるときに制御電極１４に対する清掃摺擦力を得る上で十分な反力を生成させることが可能である。
更に、可動保持部材４の代表的態様としては、移動体３に対し揺動支点を中心として揺動可能に且つ揺動支点から離れる方向に延びる揺動腕を有し、この揺動腕の揺動支点から離れた側に第２の清掃部材２を保持するものが挙げられる。可動保持部材４として、揺動支点を中心として揺動可能な揺動腕を用い、付勢部材５にて揺動腕の自由端側を被帯電体（像保持体１５）から離れる方向に付勢するようにすればよい。本態様では、付勢解除部材６は揺動腕を付勢部材５による付勢方向と逆方向に揺動させるものであればよい。
【００１７】
また、第２の清掃部材２は可動保持部材４の一部に一体的に形成されていてもよい。
本態様では、第２の清掃部材２による清掃位置ＣＬは、第２の清掃部材２として一体的に形成された可動保持部材４の一部の移動軌跡によって一義的に決まることから、第２の清掃部材２は、制御電極１４を被帯電体（像保持体１５）から離れた方向に所定量撓み変形させ、第１の清掃部材１に対する制御電極１４の押し付け量を略一定に保ち、第１の清掃部材１で制御電極１４の格子の目の中を拭き取り清掃することが可能である。
更に、可動保持部材４の好ましい態様としては、第２の清掃部材２を保持する保持部と、この保持部に隣接した部位に設けられ且つ第２の清掃部材２が清掃位置ＣＬに位置するときに第２の清掃部材２と共に制御電極１４に接触する接触部と、を有する態様が挙げられる。
本態様では、可動保持部材４の接触部と制御電極との接触により制御電極１４の清掃位置ＣＬが一義的に決まり、可動保持部材４の保持部に保持された第２の清掃部材２は接触部で位置規制された制御電極１４に対し所定の変形量で接触する。
更にまた、第２の清掃部材２の好ましい態様としては、帯電電極１３の延びる方向に湾曲する湾曲部を有している態様が挙げられる。本態様では、第２の清掃部材２が平面を有する態様では、可動保持部材４の保持面の加工精度等による位置誤差があると、第２の清掃部材２と制御電極１４との接触状態がばらつく虞れがあるのに対し、本態様では、湾曲部の最も突出した部位が接触することから、その接触面が一様になり易い点で好ましい。
また、像保持体１５が湾曲状である態様において、帯電装置１０の制御電極１４が像保持体１５に略対応した形状の湾曲部又は多角形部を有するものである場合には、制御電極１４の変形量を必要最小限に抑制するという観点からすれば、第１の清掃部材１、第２の清掃部材２及び可動保持部材４のうち少なくとも制御電極１４に接触する部位は、制御電極１４の湾曲部又は多角形部に略対応した形状を有する態様が好ましい。
【００１８】
また、帯電電極清掃機構１１ａの清掃部材７，８の好ましい態様としては、帯電電極１３の延びる方向に対して予め決められた間隔をもって配置される一対の両側清掃部材７と、
帯電電極１３を介して一対の両側清掃部材７の反対側に位置し且つ両側清掃部材７の中間位置に配置される中間清掃部材８と、を有し、接離機構９は、中間清掃部材８を移動可能とし、帯電電極１３に対して両側清掃部材７及び中間清掃部材８を接離するようにしたものが挙げられる。
本態様では、清掃部材７，８としては一対の両側清掃部材７と一つの中間清掃部材８とを有することが要件であるが、これに限定するという意味ではなく、少なくとも前記の関係の清掃部材を含んでいればこれ以外の清掃部材を付加した態様でも差し支えない。例えば中間清掃部材８と同じ側で例えば両側清掃部材７の帯電電極１３の延びる方向の外側に別の清掃部材を設けてもよい。
また、両側清掃部材７及び中間清掃部材８のレイアウトについては適宜選定して差し支えないが、清掃部材７，８の清掃位置を工夫することで清掃部材７，８による掻き出し、拭き取り動作を効率的に実現することが可能である。
【００１９】
以下、添付図面に示す実施の形態に基づいてこの発明をより詳細に説明する。
◎実施の形態１
−画像形成装置の全体構成−
図２は本発明が適用される画像形成装置の実施の形態１を示す説明図である。
同図において、画像形成装置は、所定方向に回転する像保持体としてのドラム状の感光体２１と、この感光体２１を帯電する帯電装置２２と、帯電された感光体２１上に静電潜像を書き込む潜像書込装置としての露光装置（図示せず）と、感光体２１上の静電潜像を現像剤にて可視像化する現像装置２３と、感光体２１上の現像剤による可視像を図示外の記録材又は中間転写体に転写する転写装置２４と、感光体２１上に残留する現像剤による可視像を清掃する像清掃装置２５とを備えている。
ここで、現像装置２３としては、一成分現像方式、二成分現像方式を問わず適宜選定して差し支えないが、本実施の形態では、二成分現像方式の態様（例えば二成分現像剤が収容される現像容器２３１に現像ロール２３２を配設し、この現像容器２３１内には現像剤を撹拌しながら搬送する撹拌搬送部材２３３を配設し、撹拌搬送部材２３３にて撹拌搬送された現像剤を例えば現像剤補給ロール２３４を用いて現像ロール２３２に供給し、層厚規制部材２３５にて現像ロール２３２上の現像剤層厚を規制し、感光体２１に対向する現像域に現像剤を供給する態様）が用いられている。
また、転写装置２４としては、感光体２１上の可視像を記録材又は中間転写体に転写する機能部材を備えたものであれば、図示した転写ロールを用いた態様に限られるものではなく、放電ワイヤを用いた態様であってもよい。尚、本実施の形態において、転写装置２４として、放電ワイヤを用いた態様を採用した場合には、帯電装置２２として放電ワイヤを用いた態様の構成を利用するようにしてもよい。
更に、像清掃装置２５としては、感光体２１上の残留現像剤を清掃するものであれば適宜選定して差し支えないが、本実施の形態では、例えば清掃容器２５１に板状の清掃ブレード２５２及び清掃ブラシ２５３を配設し、清掃容器２５１内には回収した残留現像剤を均す均し搬送部材２５４を配設したものが用いられる。
特に、本実施の形態では、図２及び図３に示すように、感光体２１、帯電装置２２及び像清掃装置２５は画像形成組立体に相当するプロセスカートリッジ３０として一ユニット化されている。
【００２０】
−帯電装置の基本構成−
そして、帯電装置２２は、図２ないし図４に示すように、感光体２１の上方に非接触配置され、当該感光体２１の軸方向に沿って延び且つ放電を遮断する材料（例えばアルミニウム等）にて感光体２１側に開口する断面略Ｅ字状に形成される帯電容器４１と、この帯電容器４１の長手方向（感光体２１の軸方向に相当）に沿って設けられる帯電電極としての放電ワイヤ４２と、前記感光体２１に対して所定寸法ｇ（図８参照）離間するように帯電容器４１の開口部に設けられて感光体２１の帯電電位を調整する格子状の制御電極としてのグリッド４３と、を備えている。
＜放電ワイヤ＞
ここで、放電ワイヤ４２の本数は少なくとも１本でよいが、複数設けるようにしてもよく、本実施の形態では２本設けられている。そして、帯電容器４１は、２本の放電ワイヤ４２を収容するために断面略Ｅ字状に形成されているが、例えば１本の放電ワイヤ４２を収容する態様では断面略Ｕ字状に形成するようにすればよい。また、放電ワイヤ４２は、帯電容器４１の長手方向両端に設けられた絶縁部材間に、少なくとも一方側に張力付勢用の弾性ばね（図示せず）を介在させて張架されており、図示外の放電用バイアス電源が接続されている。
また、放電ワイヤ４２としては、例えばタングステン、カーボンタングステン、金メッキタングステンなどにてワイヤ径３０μｍから４０μｍのものが使用されており、その引っ張り力は３０〜８０ｇｆ（０．２９〜０．７８Ｎ）程度に設定されている。
【００２１】
＜グリッド＞
本実施の形態において、グリッド４３は、導電性の電極材料（例えばステンレス鋼板）を用いて構成されており、図４ないし図６に示すように、放電ワイヤ４２の延びる方向（感光体２１の軸方向に相当）に沿って延びる格子状電極部４４と、この格子状電極部４４の長手方向両端に設けられ、格子状電極部４４が長手方向に引張状態で保持されると共に帯電容器４１の長手方向の両端部に取り付けられる取付部４５、４６と、を有している。
このグリッド４３は、放電ワイヤ４２で発生したマイナス電荷が格子状電極部４４の開口４４ａを通過して感光体２１に供給されるときに、格子状電極部４４に図示外の制御部によって制御されたグリッド電圧を印加することにより、格子状電極部４４の開口４４ａを通過するマイナス電荷の通過量を制御し、感光体２１の帯電電位を制御するものである。
より具体的に述べると、格子状電極部４４は、特に図５に示すように、取付部４５，４６のうち感光体２１の周方向両側部の相対応する部位に結合されて感光体２１の軸方向に沿って直線状に延び、取付部４５，４６と共に矩形状の枠体を構成する枠線４４１と、この枠線４４１間の空間部において、感光体２１の周方向に予め決められた間隔で並び且つ感光体２１の軸方向に沿って直線状に延びる枠線４４１よりも細い複数（少なくとも３本以上）の構造線４４２と、この構造線４４２の延びる方向に対して予め決められた傾斜角度α（例えば３０°〜６０°）で構造線４４２に交差すると共に隣り合う構造線４４２を連結する複数（本例では４つ）の連結線４４３と、を有している。
各連結線４４３は、格子状電極部４４の長手方向領域Ｗを連結線４４３の数（本例では４）に応じて区画し、各区画領域Ｍ（Ｍ１〜Ｍ４）内で一方の枠線４４１から複数の構造線４４２を経て他方の枠線４４１に至るまでの間を相互に連結したものであり、本例では各区画領域Ｍ内で略平行に配列されている。
この連結線４４３は格子状電極部４４の長手方向に交差する幅方向に対するねじれ剛性を高める補強部Ｕとして働き、格子状電極部４４の面剛性を調整するものである。
尚、本例では、各連結線４４３は枠線４４１と構造線４４２との間並びに隣り合う構造線４４２間を連続的に連結するようにしているが、これに限られるものではなく、間を開けて不連続的に連結するようにしてもよい。また、本例では、各連結線４４３が形成される区画領域Ｍは格子状電極部４４の長手方向領域Ｗを連結線４４３の数に応じて略等分に区画したものであるが、これに限られるものではなく、各連結線４４３が形成される区画領域Ｍ間に各連結線４４３が形成されない領域を介在させるようにしてもよいし、また、各連結線４４３が形成される区画領域Ｍが一部重なり合うようになっていても差し支えない。
本例では、一方の取付部４５は略正方形状の枠板４５１を有し、この枠板４５１には格子状電極部４４の幅方向に対して一対の取付孔４５２を間隔を介して開設したものである。
これに対し、他方の取付部４６は格子状電極部４４の幅方向に延びる略長方形状の枠板４６１を有し、この枠板４６１には格子状電極部４４の長手方向外側に略Ｖ字状に突出する被引掛かり部４６２を形成したものである。
【００２２】
＜グリッドの取付構造＞
本例におけるグリッド４３の取付構造は以下の通りである。
帯電容器４１の長手方向両端にはグリッド４３を保持するための保持部材としてのグリッドホルダ４７，４８が設けられている。
一方のグリッドホルダ４７は、図６（ａ）に示すように、ドラム状の感光体２１の外周面に沿った湾曲状の保持壁４７１を有し、この保持壁４７１にはグリッド４３の幅方向に対して一対の保持片４７２を感光体２１側に向かって突出するように設けたものである。この保持片４７２は例えば保持壁４７１に対しＬ字状に切り起こされた弾性変形可能な弾性片からなり、グリッド４３の長手方向外側に屈曲した引掛部４７３を有している。この保持片４７２はグリッド４３の一方の取付部４５の取付孔４５２に挿入され、引掛部４７３により取付孔４５２縁部に引っ掛けられてグリッド４３の取付部４５を引張った状態で保持するようになっている。
更に、このグリッドホルダ４７には、湾曲状の保持壁４７１に対応して湾曲する板バネからなる押さえ板４７４が設けられ、この押さえ板４７４は例えば両側に抱き込み片４７５を有し、この抱き込み片４７５に引っ掛け孔４７６を形成すると共に、グリップホルダ４７に引っ掛け突起４７７を形成し、引っ掛け孔４７６に引っ掛け突起４７７を引っ掛けることでグリップホルダ４７に抱き込み保持され、格子状電極部４４の長手方向端部を保持壁４７１との間に挟んで押さ込むようになっている。
これに対し、他方のグリッドホルダ４８は、図６（ｂ）に示すように、ドラム状の感光体２１の外表面に沿った湾曲状の保持壁４８１と、この保持壁４８１のグリッド４３の長手方向外側に隣接して設けられる平面状の保持壁４８２とを有し、保持壁４８２には感光体２１側に向かって突出する保持片４８３を設けたものである。この保持片４８３は例えば保持壁４８２に対しＬ字状に切り起こされた弾性変形可能な弾性片からなり、グリッド４３の長手方向外側に屈曲した引掛部４８４を有している。この保持片４８３はグリッド４３の他方の取付部４６の被引掛かり部４６２に引っ掛けられ、グリッド４３の取付部４６を引張った状態で保持するようになっている。
更に、このグリッドホルダ４８には、湾曲状の保持壁４８１に対応して湾曲する板バネからなる押さえ板４８５が設けられ、格子状電極部４４の長手方向端部を保持壁４８１との間に挟んで押さえ込むようになっている。尚、押さえ板４８５の取付構造は押さえ板４７４の取付構造と同様である。
このように、グリッド４３は両方の取付部４５，４６を引張った状態でグリッドホルダ４７，４８に保持されており、格子状電極部４４は押さえ板４７４，４８５によって感光体２１の外周面に沿った湾曲形状に保持されるようになっている。
【００２３】
−清掃装置の基本構成−
更に、本実施の形態では、帯電装置２２は、図７及び図８に示すように、放電ワイヤ４２及びグリッド４３を定期的に清掃する清掃装置５０が設けられている。
本実施の形態では、帯電容器４１は、感光体２１の軸方向における最大画像形成領域よりも長く形成されており、その一端側には非清掃時に清掃装置５０が待機可能な清掃待機室（図示せず）が確保されており、清掃装置５０の初期位置Ｐ０（図１３参照）になっている。
ここで、清掃装置５０は、放電ワイヤ４２を清掃する放電ワイヤ清掃機構５０ａと、グリッド４３を清掃するグリッド清掃機構５０ｂと、これらの清掃機構５０ａ，５０ｂを放電ワイヤ４２及びグリッド４３の長手方向に沿って移動させる清掃移動機構１１０と、を備えている。
【００２４】
―放電ワイヤ清掃機構―
本例では、放電ワイヤ清掃機構５０ａは、図７ないし図１０に示すように、帯電容器４１の長手方向に沿って移動可能な可動台５２を有し、この可動台５２に放電ワイヤ４２の長さ方向に沿って離間配置される３つの清掃パッド６０（６０ａ〜６０ｃ）を設けたものである。
＜可動台＞
可動台５２は、帯電容器４１の長手方向に沿って摺動可能な略逆Ｕ字枠形状からなる支持枠５３を有し、この支持枠５３には、各清掃パッド６０（６０ａ〜６０ｃ）の下方側を覆う清掃受け部材５４を設けると共に、帯電容器４１の頂部に形成された長手方向に沿って延びる案内溝４１１から帯電容器４１外部に突出し且つ摺動可能に嵌まる一対の突出腕５５を設け、この突出腕５５の先端側には内部に雌ねじ部（後述する清掃移動機構１１０の一要素）が形成された駆動伝達筒５６を設けると共に、突出腕５５の両側には支持枠５３の頂部との間に空間が確保されるように一対の案内板５７を突出配置し、支持枠５３の頂部と前記案内板５７との間に帯電容器４１の頂部が摺動自在に配置するようにしたものである。
そして、支持枠５３の頂部及び案内板５７の一部には可動台５２の移動方向に延びる案内突条５８が設けられ、この案内突条５８のみが帯電容器４１の頂部に接触することで可動台５２と帯電容器４１との間の接触抵抗を低減する構成が採用されている。
また、本実施の形態では、清掃受け部材５４上には放電ワイヤ４２の感光体２１側面に接触可能な一対の両側清掃パッド６０ａ，６０ｂが固定配置されており、一方、放電ワイヤ４２を挟む方向の他方側で且つ放電ワイヤ４２の延びる方向に対して両側清掃パッド６０ａ，６０ｂの中間には中間清掃パッド６０ｃが後述する接離機構８０（図９参照）を介して移動可能に配置されている。
【００２５】
＜清掃パッドの構成例＞
また、本実施の形態において、清掃パッド６０（６０ａ〜６０ｃ）は放電ワイヤ４２を清掃可能であれば適宜選定して差し支えないが、清掃性を考慮して例えば以下のように全て同様に構成されている。
つまり、清掃パッド６０は、図１０（ｂ）に示すように、例えばスポンジ、フェルト、発泡樹脂などのように多孔質で柔軟性を有する弾性基材６１を有し、この弾性基材６１上には表面に凹凸加工が施された不織布６３を接着剤６２を介して貼り付け、更に、不織布６３の表面に粉体層６４を設け、この粉体層６４にはアルミナ、カーボンランダム、ダイヤモンドなどの如く研磨機能を有する研磨剤６５を、例えば接着剤６２に混入して塗布したり、あるいは、不織布６３の表面に接着剤６２を塗布して研磨剤６５を散布し、その上に接着剤６２を薄く塗布するようにしたものである。
尚、不織布とは繊維を接着したもの、あるいは、繊維をからめたものを広く含むものである。
【００２６】
＜清掃パッドの配置例＞
また、本実施の形態では、図１０（ａ）に示すように、各清掃パッド６０（６０ａ〜６０ｃ）の放電ワイヤ４２の長さ方向に沿う幅寸法をｗ（ｗａ〜ｗｃ）、同厚さをｈ（ｈａ〜ｈｃ）、清掃パッド６０間の放電ワイヤ４２の長さ方向に沿う間隔ｄ（ｄ１，ｄ２）、両側清掃パッド６０ａ，６０ｂの放電ワイヤ接触面に対する中間清掃パッド６０ｃの放電ワイヤ接触面の相対差に相当する食い込み量をｋとした場合に、ｗ＝３〜５ｍｍ、ｈ＝１〜２ｍｍ、ｄ＝０．５〜４．０ｍｍ、ｋ＝０．４〜１．８ｍｍ程度に設定することが好ましい。
特に、ｋ／ｄについては、０．２〜０．７の範囲で設定することが好ましい。
ここで、０．２未満であると、放電ワイヤ４２に対する清掃パッド６０ａ〜６０ｃによる接触圧が不足し、０．７を超えると、前記接触圧が大き過ぎて清掃パッド６０ａ〜６０ｃの損傷を早める懸念があることによる。
本実施の形態では、各清掃パッド６０（６０ａ〜６０ｃ）の寸法や配設位置関係については夫々個別に設定しても差し支えないが、清掃具５１の移動方向の違いによる清掃性の差異を極力少なく抑えるという観点からすれば、各清掃パッド６０（６０ａ〜６０ｃ）として同じ構成とし、かつ、清掃具５１の往路、復路での移動方向に対する各清掃パッド６０ａ〜６０ｃの配設位置関係を同様に設定することが好ましい。
【００２７】
―グリッド清掃機構―
本実施の形態において、グリッド清掃機構５０ｂは、図７、図９、図１１及び図１２に示すように、グリッド４３の幅方向に沿って延び且つグリッド４３の放電ワイヤ４２側に位置する面を拭き取り清掃する第１の清掃パッド７１と、同じくグリッド４３の幅方向に沿って延び且つグリッド４３の感光体２１側に位置する面を拭き取り清掃する第２の清掃パッド７２と、これらの清掃パッド７１，７２をグリッド４３の長手方向に沿って移動させる可動台５２（本例では放電ワイヤ清掃機構５０ａの可動台５２を兼用）と、この可動台５２に搭載され、グリッド４３清掃時にはグリッド４３に対して清掃パッド７１，７２を接触させると共に、グリッド４３非清掃時にはグリッド４３に対して清掃パッド７１，７２を非接触配置する接離機構８０（本例では放電ワイヤ清掃機構５０ａの接離機構８０と兼用）と、を備えている。
【００２８】
＜清掃パッド＞
本実施の形態では、第１の清掃パッド７１、第２の清掃パッド７２としては、例えば布、フェルト、合成樹脂発泡剤、膨張ポリマ、人工皮革、これらのうち２以上の組み合わせからなるものや、更にはグリッド４３の酸化皮膜等を取り除くためにこれらに研磨粒子等を保持させたものを採用するようにすればよい。その形態としては、ブロック体のほか、ブラシ状の態様など適宜選定することができる。
本例では、第１の清掃パッド７１は、可動台５２の清掃受け部材５４の感光体２１側に位置する面のうち清掃装置５０の初期位置Ｐ０（図１３参照）寄りに固着されている。
また、第２の清掃パッド７２は、接離機構８０の後述する可動保持部材８１によって清掃位置ＣＬと退避位置Ｒとの間で進退移動可能に保持されている。
更に、本例では、第２の清掃パッド７２は、第１の清掃パッドに比べてばね定数が大きい材料で構成されている。つまり、第１の清掃パッド７１は柔らかい材料を選定して構成され、第２の清掃パッド７２は硬い材料を選定して構成されている。尚、第１の清掃パッド７１，第２の清掃パッド７２をブロック体で構成する場合には、清掃能力を向上させるために、夫々の清掃パッド７１，７２の表面に対してシボ加工などを施すようにしてもよい。
【００２９】
＜接離機構＞
本実施の形態において、接離機構８０は、可動台５２に設けられ、第２の清掃パッド７２がグリッド４３に接触する清掃位置ＣＬとこの清掃位置ＣＬから退避してグリッド４３とは非接触な退避位置Ｒとの間で進退移動可能に保持される可動保持部材８１と、第２の清掃パッド７２が清掃位置ＣＬに位置するように可動保持部材８１を付勢し、清掃位置ＣＬでは第２の清掃パッド７２がグリッド４３に接触して当該グリッド４３を感光体２１から離れる方向に変形させる共に、第１の清掃パッド７１に変形したグリッド４３を接触させる付勢ばね８２と、帯電容器４１の長手方向の一端側に設けられ、第１の清掃パッド７１及び第２の清掃パッド７２が初期位置Ｐ０に位置するときに、可動保持部材８１に接触して付勢ばね８２による付勢方向に抗した方向に可動保持部材８１を移動させることで退避位置Ｒに第２の清掃パッド７２を退避させ、かつ、グリッド４３と第１の清掃パッド７１とを非接触配置させる付勢解除部材８３と、可動保持部材８１の揺動範囲を規制する規制部材としてのストッパ８４と、を備えている。
【００３０】
本例では、可動保持部材８１は、例えばノンハロゲン難燃ＰＣ／ＡＢＳなどの合成樹脂によって一体的成形され、図９、図１１及び図１２に示すように、可動台５２の支持枠５３の両側壁に揺動軸９０を介して揺動可能に支持される一対の揺動アーム９１，９２を有している。一方の揺動アーム９１は可動台８２から初期位置Ｐ０側に向かって突出し且つ感光体２１側に向かって屈曲形成された一対の腕部９１１を有し、この一対の腕部９１１の先端部側にはグリッド４３の幅方向外側に張り出すように略Ｌ字状の張出部９１２を形成すると共に、グリッド４３位置よりも感光体２１側の領域にて張出部９１２の先端部間をグリッド４３の幅方向に亘って連結する連結保持部９１３と、有している。
そして、連結保持部９１３のグリッド４３側に位置する面は、ドラム状の感光体２１の外周面に沿って略湾曲する湾曲面を有しており、この湾曲面に第２の清掃パッド７２が固着されている。
【００３１】
また、他方の揺動アーム９２は、可動台５２の支持枠５３内において一方の揺動アーム９１とは反対側に向かって延び且つ感光体２１側に向かって屈曲形成された一対の腕部９２１を有し、この一対の腕部９２１の先端部には中間清掃パッド６０ｃに対応してパット保持部９２２を設け、このパット保持部９２２に中間清掃パッド６０ｃを接着などで固着するようにしたものである。
更に、付勢ばね８２は、可動保持部材８１の揺動アーム９２と可動台５２の支持枠５３の頂部との間に設けられ、この揺動アーム９２を感光体２１側に付勢するようになっている。
この結果、一方の揺動アーム９１に保持された第２の清掃パッド７２は感光体２１から離れる方向に移動するようになっている。
そして、本実施の形態では、ストッパ８４は可動台５２の支持枠５３の頂部のうち清掃装置５０の初期位置Ｐ０側に突出して設けられ、付勢ばね８２の付勢力によって付勢された一方の揺動アーム９２がストッパ８４に当接し、可動保持部材８１の揺動範囲が規制されるようになっている。
更に、付勢解除部材８３は、図９に示すように、帯電容器４１の長手方向一端側に位置する清掃装置５０の初期位置Ｐ０に対応して設けられ、少なくとも清掃装置５０が初期位置Ｐ０に到達したときに、可動保持部材８１の一方の揺動アーム９１に接触して付勢ばね８２の付勢方向に抗した方向に揺動アーム９１が揺動させられる接触部８３１を有している。
【００３２】
本実施の形態に係る接離機構８０によれば、放電ワイヤ清掃機構５０ａ及びグリッド清掃機構５０ｂは、ストッパ８４によって位置規制された可動保持部材８１の位置に基づいて各清掃パッドの清掃位置を選定し、付勢解除部材８３によって位置規制された可動保持部材８１に基づいて各清掃パッドが清掃位置から退避する退避位置を選定するようにすればよい。
本例では、グリッド清掃機構５０ｂの第１の清掃パッド７１は可動台５２の清掃受け部材５４に固定され、第２の清掃パッド７２は可動保持部材８１の一方の揺動アーム９１に保持されているが、両方の清掃パッド７１，７２がグリッド４３の長手方向に対して互いに重ならない位置に配置されている。このため、第２の清掃パッド７２の清掃位置ＣＬ及び退避位置Ｒを選定するに当たり、第１の清掃パッド７１の配設位置によって制限される懸念は少ない。このため、第２の清掃パッド７２による清掃位置ＣＬは、第１の清掃パッド７１によるグリッド４３との接触位置に対して感光体２１から十分離れた距離ｓ（つまり清掃パッド７１，７２によるグリッド４３の拭き取り清掃能力を確保する上で必要な距離）に設定することが可能である。
また、放電ワイヤ清掃機構５０ａの両側清掃パッド６０ａ，６０ｂは可動台５２の清掃受け部材５４に固定され、中間清掃パッド６０ｃは可動保持部材８１の他方の揺動アーム９２に保持されているため、揺動アーム９２の揺動範囲としては、各清掃パッド６０（６０ａ〜６０ｃ）の全体が放電ワイヤ４２に対して接触して拭き取り清掃し、逆に、中間清掃パッド６０ｃの放電ワイヤ４２から非接触位置に退避することに伴って、放電ワイヤ４２の変形を基に戻すことで、両側清掃パッド６０ａ，６０ｂと放電ワイヤ４２とを非接触状態にするように選定すればよい。
【００３３】
―清掃移動機構―
更に、清掃移動機構１１０は、図７、図８及び図１３に示すように、可動台５２の支持枠５３の駆動伝達筒５６内に雌ねじ部１１１を形成する一方、前記帯電容器４１の長手方向に沿ってボールねじ軸１１２を配設し、前記雌ねじ部１１１にボールねじ軸１１２をねじ込み、ボールねじ軸１１２を駆動モータ１１３にて回転させ、可動台５２を移動させるようにしたものである。
そして、清掃装置５０の制御系としては例えば図１３に示す態様が採用されている。
同図において、符号１２０は例えば清掃装置５０による清掃処理プログラムを内蔵するマイクロコンピュータなどから構成される制御装置であり、また、１２１，１２２は清掃装置５０が初期位置及び帯電容器４１の初期位置とは反対側の端部に到達したことを検知する位置センサであり、例えばリミットスイッチなどが用いられる。
【００３４】
―帯電装置における清掃装置の作動―
次に、本実施の形態に係る画像形成装置の作動について帯電装置の清掃装置を中心に説明する。
本実施の形態では、図２３に示すように、制御装置１２０は画像形成回数をカウントし、画像形成回数が所定回数に到達する毎に清掃処理プログラムを実行し、初期位置に位置する清掃装置を往路方向に向かって移動させ、帯電容器４１の初期位置とは反対側に到達した段階で位置センサ１２２からの検知信号に基づいて清掃装置５０を復路方向に移動させ、清掃装置５０が初期位置に戻った時点で位置センサ１２１からの検知信号に基づいて清掃具５１の移動を停止させ、画像形成回数をリセットするようにしている。
尚、清掃処理プログラムの実行タイミングについては、所定の画像形成回数に限られるものではなく、予め決められた時間サイクル毎、あるいは、ユーザーの意思操作に応じて行うなど適宜選定して差し支えない。
【００３５】
＜非清掃時＞
このような動作過程において、清掃装置５０は非清掃時には帯電容器４１の図示外の清掃待機室に待機しているため、清掃装置５０が帯電装置２２による帯電動作を損なうという懸念はない。
今、清掃装置５０が非清掃時であるときには、図１４に示すように、接離機構８０の可動保持部材８１は付勢解除部材８３の接触部８３１によって付勢ばね８２の付勢方向に抗した方向に揺動され、グリッド清掃機構５０ｂの第２の清掃パッド７２がグリッド４３の通常位置とは非接触な退避位置Ｒに退避すると共に、放電ワイヤ清掃機構５０ａの中間清掃パッド６０ｃが放電ワイヤ４２の通常位置とは非接触な退避位置に退避する。
この状態において、グリッド４３及び放電ワイヤ４２の撓み変形は夫々の可動な清掃パッドの退避に伴って元の通常位置に復帰することから、可動台５２に固定されている各清掃パッド７１及び６０ａ，６０ｂと清掃対象であるグリッド４３，放電ワイヤ４２との接触状態は解消される。
このとき、グリッド清掃機構６０ｂにあっては、第２の清掃パッド７２が感光体３１側に接近した退避位置Ｒに退避しているが、清掃装置５０が初期位置Ｐ０に位置するときには、清掃装置５０は感光体２１の画像形成領域から外れた位置に位置し、かつ、第２の清掃パッド７２の退避位置Ｒが感光体２１の軸方向両端部よりも外側の領域に設定されていれば、感光体２１と退避位置Ｒに位置する第２の清掃パッド７２とが干渉する懸念はない。
また、放電ワイヤ清掃機構５０ａの各清掃パッド６０（６０ａ〜６０ｃ）は、図１４及び図１６（ａ）に示すように、初期位置では放電ワイヤ４２と非接触であるため、清掃パッド６０に放電ワイヤ４２による食い込み痕が残存するということはない。
【００３６】
＜清掃時＞
一方、清掃処理プログラム実行時には、制御装置１２０からの制御信号に基づいて清掃移動機構１１０が初期位置から清掃装置５０を往路方向に移動させる。
すると、図１５に示すように、清掃装置５０の可動台５２が初期位置Ｐ０から移動していくと、接離機構８０の可動保持部材８１と付勢解除部材８３との係わり合いがなくなるため、可動保持部材８１は付勢ばね８２による付勢力によってストッパ８４位置まで揺動した後に位置規制される。この状態において、可動保持部材８１の一方の揺動アーム９１に保持されているグリッド清掃機構５０ｂの第２の清掃パッド７２が清掃位置ＣＬに移動し、グリッド４３を撓み変形させると共に、第１の清掃パッド７１とグリッド４３とを接触させる。
更に、本例では、可動保持部材８１の他方の揺動アーム９２に保持されている放電ワイヤ清掃機構５０ａの中間清掃パッド６０ｃが清掃位置に移動し、放電ワイヤ４２を撓み変形させると共に、両側清掃パッド６０ａ，６０ｂと放電ワイヤ４２とを接触させる。
尚、本実施の形態では、清掃装置５０は帯電容器４１の初期位置とは反対側端部に到達すると、制御装置１２０からの制御信号に従って清掃移動機構１１０は清掃装置５０を復路方向へ移動させながらグリッド４３及び放電ワイヤ４２に対する清掃動作を実施する。
【００３７】
このとき、グリッド清掃機構５０ｂでは、第１の清掃パッド７１がグリッド４３の感光体２１と反対側に位置する面を拭き取り清掃し、第２の清掃パッド７２がグリッド４３の感光体２１側に位置する面を拭き取り清掃する。
特に、本例では、第２の清掃パッド７２が第１の清掃パッド７２に比べてばね定数が大きいため、硬度の硬い第２の清掃パッド７２による清掃位置ＣＬは正確に規制され、硬度の柔らかい第１の清掃パッド７１はグリッド４３の格子状電極部４４における開口４４ａの目の中に入り込み、拭き取り清掃する。
また、第２の清掃パッド７２と第１の清掃パッド７１とはグリッド４３の長手方向に対して互いに重ならない位置に配置されているため、両者が少なくとも一部重なる位置関係にある後述する比較の形態１−１（図１７参照）に比べて、グリッド４３に対する第２の清掃パッド７２による清掃位置ＣＬが感光体２１からより離れた位置に設定され、清掃装置５０の移動がより安全に行われる。
更に、本例では、グリッド４３がドラム状の感光体２１の外周面に略対応した湾曲面を有しており、かつ、第１の清掃パッド７１及び第２の清掃パッド７２もグリッド４３の湾曲面に略対応した湾曲面を有していることから、平板状のグリッド４３を有する後述する比較の形態１−２（図１８参照）に比べて、グリッド４３と感光体２１との間のギャップが略一定になることに伴って、グリッド４３によるマイナスイオンの通過量が略均一になるほか、清掃時におけるグリッド４３の形状変形が少なく押さえられる。
【００３８】
◎比較の形態１−１
比較の形態１−１に係る帯電装置２２は、実施の形態１と略同様であるが、清掃装置５０のグリッド清掃機構５０ｂが実施の形態１と異なっている。尚、実施の形態１と同様な構成要素については、実施の形態１と同様な符号を付してここではその詳細な説明を省略する。
本例では、グリッド清掃機構５０ｂは、可動台５２の清掃受け部材５４の一部にブラケット５４ａを設け、このブラケット５４ａに第１の清掃パッド７１を固着すると共に、接離機構８０の可動保持部材８１に第２の清掃パッド７２を固着し、グリッド４３の長手方向に対して第１の清掃パッド７１と第２の清掃パッド７２とを一部重なるように配置したものである。
本例では、例えば第１の清掃パッド７１が放電ワイヤ４２よりも感光体２１側に配置されることから、第２の清掃パッド７２による清掃位置ＣＬが第１の清掃パッド７１の配設位置によって制限されてしまう。
◎比較の形態１−２
比較の形態１−２に係る帯電装置２２は、実施の形態１と略同様であるが、実施の形態１と異なり、グリッド４３が感光体２１の外周面に略対応した湾曲面を有しておらず、平板状のものが採用されている。
本例では、グリッド４３と感光体２１との間のギャップｇが相違することになるため、グリッド４３によるマイナスイオンの通過量がギャップｇの相違分だけばらつく虞れがあるほか、グリッド４３の面剛性が湾曲状の態様に比べて低下する分、変形し易い。
【００３９】
一方、放電ワイヤ清掃機構５０ａにあっては、図１５及び図１６（ｂ）に示すように、中間清掃パッド６０ｃが清掃位置に移動し、これに伴って、両側清掃パッド６０ａ，６０ｂ及び中間清掃パッド６０ｃが放電ワイヤ４２に接触配置され、放電ワイヤ４２を挟んだ状態で移動していく。
このとき、両側清掃パッド６０ａ，６０ｂが放電ワイヤ４２の感光体２１側を、中間清掃パッド６０ｃがその反対側面を拭き取るように移動するため、放電ワイヤ４２に付着する放電生成物のうち感光体２１側に付着したものは確実に清掃されることになり、放電ワイヤ４２の清掃性は良好に保たれる。
また、３つの清掃パッド６０（６０ａ〜６０ｃ）にて放電ワイヤ４２を清掃しているため、例えば２つの清掃パッドを使用する場合に比べて清掃面積が広くなり、その分、清掃具５１による清掃性能を高くすることが可能である。
この場合、例えば中間清掃パッド６０ｃの食い込み量を小さく設定した場合には、清掃パッド６０の拭き取り性能が弱くなるが、各清掃パッド６０による清掃面積を拡大しているため、両者の調整により、清掃パッド６０の清掃能力を適正範囲に設定し易くなる。
更に、本実施の形態では、可動台５２は支持枠５３に清掃受け部材５４を設けた構成であるため、清掃パッド６０にて放電ワイヤ４２から拭き取った放電生成物が仮に落下したとしても、清掃受け部材５４にて受け止められるため、放電生成物が格子状電極４４や感光体２１上に落下し、帯電装置２２の帯電性能や感光体２１上の潜像形成などに悪影響を及ぼす懸念はない。
更に、本実施の形態では、清掃装置５０が帯電容器４１の初期位置とは反対側端部に到達した後、各清掃パッドを清掃位置に設定したまま復路方向へと移動させているが、例えば、清掃装置５０が帯電容器４１の初期位置とは反対側端部に到達したとき、各清掃パッド７１，７２，６０が一旦グリッド４３や放電ワイヤ４２から離間した状態で清掃装置５０の移動方向が復路方向に切り替わり、再び各清掃パッド７１，７２，６０をグリッド４３や放電ワイヤ４２に接触配置するように構成するようにしてもよい。
このように構成すれば、本実施の形態では、各清掃パッド７１，７２，６０が往路方向から復路方向に切り替わる際に、各清掃パッド７１，７２，６０にグリッド４３や放電ワイヤ４２が局部的に食い込むことはなくなり、その分、各清掃パッドの寿命を延ばすことが可能である。
【００４０】
◎実施の形態２
図１９は実施の形態２に係る帯電装置で用いられる清掃装置の要部を示す。
同図において、清掃装置５０の基本的構成は、実施の形態１と略同様であるが、グリッド清掃機構５０ｂが実施の形態１と異なっている。尚、実施の形態１と同様な構成要素については、実施の形態１と同様な符号を付してここではその詳細な説明を省略する。
本例では、グリッド清掃機構５０ｂの第２の清掃バッド７２がグリッド４３の長手方向に湾曲する湾曲部７２ａを有している。
このため、例えば可動保持部材８１の一方の揺動アーム９１の連結保持部９１３の加工精度がばらついたとしても、第２の清掃パッド７２がグリッド４３の長手方向に対して平面状である態様に比べて、第２の清掃パッド７２とグリッド４３とは湾曲部７２ａの頂部にて略一様に接触することから、第２の清掃パッド７２による清掃位置ＣＬが正確に規制されるほか、第２の清掃パッド７２とグリッド４３との接触抵抗も少なく抑えられる。
尚、本実施の形態では、可動保持部材８１に別部材である第２の清掃パッド７２を固着した態様が示されているが、これに限られるものではなく、例えば第２の清掃パッド７２を可動保持部材８１における一方の揺動アーム９１の連結保持部９１３に一体的に形成するようにしてもよい。
【００４１】
◎実施の形態３
図２０は実施の形態３に係る帯電装置で用いられる清掃装置の要部を示す。
同図において、清掃装置５０の基本的構成は、実施の形態１，２と略同様であるが、グリッド清掃機構５０ｂが実施の形態１，２と異なっている。尚、実施の形態１，２と同様な構成要素については、実施の形態１と同様な符号を付してここではその詳細な説明を省略する。
本例では、グリッド清掃機構５０ｂの可動保持部材８１のうち一方の揺動アーム９１は、実施の形態１と略同様に構成されているが、実施の形態１と異なる連結保持部９１３を有しており、この連結保持部９１３は、第２の清掃バッド７２を保持する保持部９１４と、この保持部９１４に対してグリッド４３の長手方向に隣接した部位に設けられ且つ第２の清掃パッド７２が清掃位置ＣＬに位置するときに、第２の清掃パッド７２と共にグリッド４３に接触する接触部９１５と、を有している。
本例では、連結保持部９１３の接触部９１５は、保持部９１４に比べてグリッド４３よりに形成され、清掃パッド７２の清掃位置ＣＬに対して寸法ｄだけ段差をもつように形成されている。
本例においては、可動保持部材９１の接触部９１５がグリッド４３に接触した状態で、第２の清掃パッド７２がグリッド４３に接触することから、第２の清掃パッド７２だけがグリッド４３に接触する態様に比べて、接触部９１５によりグリッド４３が清掃位置ＣＬに近い位置に位置規制された状態で第２の清掃パッド７２による清掃位置ＣＬが決まることになり、その分、第２の清掃パッド７２のグリッド４３による変形量が小さくなり、第２の清掃パッド７２による清掃位置ＣＬが一義的に決まり易い。
【００４２】
◎実施の形態４
図２１は実施の形態４に係る帯電装置で用いられる清掃装置の要部を示す。
同図において、清掃装置５０の基本的構成は、実施の形態１〜３と略同様であるが、接離機構８０が実施の形態１〜３と異なっている。尚、実施の形態１〜３と同様な構成要素については、実施の形態１〜と同様な符号を付してここではその詳細な説明を省略する。
本例では、接離機構８０の可動保持部材８１は、実施の形態１〜３と異なり、グリッド清掃機構５０ｂ及び放電ワイヤ清掃機構５０ａ毎に個別に設けたものである。
つまり、接離機構８０は、グリッド清掃機構５０ｂについて、可動台５２に可動保持部材８１ｂを揺動支持し、この可動保持部材８１ｂに対し付勢ばね８２ｂ、付勢解除部材８３ｂ及びストッパ８４ｂを設ける一方、放電ワイヤ清掃機構５０ａについて、可動台５２に可動保持部材８１ａを揺動支持し、この可動保持部材８１ａに対し付勢ばね８２ａ、付勢解除部材８３ａ及びストッパ８４ａを別に設けるようにしたものである。
本例にあっては、接離機構８０がグリッド清掃機構５０ｂ、放電ワイヤ清掃機構５０ａに個別に働く。
【実施例】
【００４３】
次に、実施の形態１に係る帯電装置で用いられる清掃装置を具現化した実施例についてその性能を評価した。
図２２に実施例１〜３及び比較例１〜３の仕様及びその結果を示す。
同図において、低剛性グリッドとは例えば実施の形態１で示すグリッドを指し、高剛性グリッドとは格子状電極部が金属板に格子を形成したものを指す。
ここで、比較例１，比較例３及び実施例３について汚れの残存度を測定したところ、図２３に示す結果が得られた。
同図によれば、実施例３による清掃性能が高いことが理解される。
更に、比較例１，比較例３及び実施例３について、清掃前後における放電ワイヤ４２の放電電流を調べたところ、図２４ないし図２６に示す結果が得られた。
同図によれば、比較例１，３に比べて、実施例３の清掃性能が極めて良好であることが理解される。
尚、実施例１，２についても、図２２に示すように、良好の結果が得られていることを申し添えておく。
【符号の説明】
【００４４】
１…第１の清掃部材，２…第２の清掃部材，３…移動体，４…可動保持部材，５…付勢手段，６…付勢解除部材，７…両側清掃部材（清掃部材），８…中間清掃部材（清掃部材）
９…接離機構，１０…帯電装置，１１…清掃装置，１１ａ…帯電電極清掃機構，１１ｂ…制御電極清掃機構，１２…帯電容器，１３…帯電電極，１４…制御電極，１５…像保持体，ＣＬ…清掃位置，Ｒ…退避位置，Ｐ０…初期位置
【図１】
2013186269.tif 000003
【図２】
2013186269.tif 000004
【図３】
2013186269.tif 000005
【図４】
2013186269.tif 000006
【図５】
2013186269.tif 000007
【図６】
2013186269.tif 000008
【図７】
2013186269.tif 000009
【図８】
2013186269.tif 000010
【図９】
2013186269.tif 000011
【図１０】
2013186269.tif 000012
【図１１】
2013186269.tif 000013
【図１２】
2013186269.tif 000014
【図１３】
2013186269.tif 000015
【図１４】
2013186269.tif 000016
【図１５】
2013186269.tif 000017
【図１６】
2013186269.tif 000018
【図１７】
2013186269.tif 000019
【図１８】
2013186269.tif 000020
【図１９】
2013186269.tif 000021
【図２０】
2013186269.tif 000022
【図２１】
2013186269.tif 000023
【図２２】
2013186269.tif 000024
【図２３】
2013186269.tif 000025
【図２４】
2013186269.tif 000026
【図２５】
2013186269.tif 000027
【図２６】
2013186269.tif 000028